(57)【特許請求の範囲】
【請求項１】
ベランダのパラペットに立設した手摺用支柱の室外側にパネル取付枠を設け、
前記パネル取付枠を構成するのに、上下に離間させた状態で並設して、前記手摺用支柱に取り付けられる上枠と下枠とを設け、
複数枚のパネルを前記上枠と前記下枠とに嵌め込んでそれらの互いに隣接するパネル同士の間夫々に配設される縦枠を設けてある手摺装置であって、
前記縦枠を構成するのに、固定枠と可動枠とを設け、
前記固定枠は、その室内側で前記上枠及び前記下枠に取り付けられるか、または、前記手摺用支柱に取り付けられ、
前記可動枠は、前記固定枠の室外側で前記固定枠との間にパネルを挟み込み可能に設けられ、この可動枠の隣に他の可動枠を順次設けて隣接する前記可動枠どうしの間にパネルを挟み込み可能に配置し、
互いに嵌合する外嵌部と内嵌部とを、前記固定枠と前記可動枠とに振り分けて設けると共に、前記可動枠を前記固定枠に対して左右一方側にのみ搖動自在に取り付けてあり、
前記固定枠に対して前記可動枠を搖動させて、パネルを挟み込み状態にして安定させるために、前記可動枠に係止部を設け、その前記係止部を係止させる被係止部を、前記固定枠に設けてある手摺装置。
【請求項２】
前記外嵌部を横断面Ｃ型で上下方向に沿った溝状外嵌部に形成すると共に、
前記内嵌部を横断面Ｃ型で上下方向に沿った溝状内嵌部に形成し、
前記溝状外嵌部の周部で前記可動枠の揺動可能な左右一方側に平坦面部を形成し、
前記係止部を前記被係止部に係止させた状態で、前記平坦面部に対応する前記溝状内嵌部の一部を、他部分よりも厚肉部に形成してある請求項１に記載の手摺装置。
【請求項３】
前記係止部を前記被係止部に係止させた状態で、前記平坦面部と前記厚肉部とに亘ってビスを取り付けて前記固定枠に対して前記可動枠を固定してある請求項２に記載の手摺装置。
【発明の詳細な説明】
【技術分野】
【０００１】
本発明は、ベランダのパラペットに立設した手摺用支柱の室外側にパネル取付枠を設け、前記パネル取付枠を構成するのに、上下に離間させた状態で並設して、前記手摺用支柱に取り付ける上枠と下枠とを設け、複数枚のパネルを前記上枠と前記下枠とに嵌め込んで互いに隣接する物同士の間夫々に配設する縦枠を設けてある手摺装置に関する。
【背景技術】
【０００２】
従来、前記縦枠を手摺用支柱に固定して室外側で、例えばガラス板から成るパネルを受け止め、縦枠に支持させたパネルに対して室内側から押し縁を取り付けて、パネルを取り付ける手摺装置があった。しかし、この手摺装置では、手摺用支柱に対して室内側からパネルをはめ込んで取り付けなければならないために、パネルの横幅を隣り合う手摺用支柱同士の間隔よりも大きくできないために、縦枠の幅が大きくなり、外観が低下するという問題がある。
これに対して、パネルを手摺用支柱に対して室外側からはめ込んで取り付けられるように縦枠を上枠と下枠間に嵌め込んだのちに、縦枠を手摺用支柱に固定する手摺装置（例えば、特許文献１参照）や、複数の手摺用支柱に対して夫々縦枠を固定しておいて、隣り合う縦枠間に上からパネルを嵌め込んで取り付ける手摺装置（例えば、特許文献２参照）が提案されている。
【先行技術文献】
【特許文献】
【０００３】
【特許文献１】特開２０１０−２０９５９８号公報
【特許文献２】特開２０１２−１０７３８９号公報（図３）
【発明の概要】
【発明が解決しようとする課題】
【０００４】
上述した前者従来例では、パネルの嵌め込み後に、パネル嵌め込み前に別途保管しておいた縦枠を、手摺用支柱に組み付けて取り付けなければならず、夫々業種の異なるパネル取り付け作業者と、手摺装置組み付け作業者が連携しなければならず、作業能率が低下する欠点がある。
また、後者従来例では、手摺用支柱に縦枠が組み込まれて固定されているものの、パネルを上から縦枠間に嵌め込んだのちに、それらの上側に、パネル嵌め込み前に保管しておいた笠木を、手摺用支柱に取り付けて手摺装置の組み付けを完成させなければならず、いずれにしろ前者と同様に、パネル取り付け作業者による作業の前後に、手摺装置組み付け作業者が組み付け作業を行わなければならず、作業性が低下するという問題点がある。
【０００５】
従って、本発明の目的は、上記問題点を解消し、手摺装置の組み付け施工を効率よく行えるようにするところにある。
【課題を解決するための手段】
【０００６】
本発明の第１の特徴構成は、ベランダのパラペットに立設した手摺用支柱の室外側にパネル取付枠を設け、前記パネル取付枠を構成するのに、上下に離間させた状態で並設して、前記手摺用支柱に取り付けられる上枠と下枠とを設け、複数枚のパネルを前記上枠と前記下枠とに嵌め込んでそれらの互いに隣接するパネル同士の間夫々に配設される縦枠を設けてある手摺装置であって、前記縦枠を構成するのに、固定枠と可動枠とを設け、前記固定枠は、その室内側で前記上枠及び前記下枠に取り付けられるか、または、前記手摺用支柱に取り付けられ、前記可動枠は、前記固定枠の室外側で前記固定枠との間にパネルを挟み込み可能に設けられ、この可動枠の隣に他の可動枠を順次設けて隣接する前記可動枠どうしの間にパネルを挟み込み可能に配置し、互いに嵌合する外嵌部と内嵌部とを、前記固定枠と前記可動枠とに振り分けて設けると共に、前記可動枠を前記固定枠に対して左右一方側にのみ搖動自在に取り付けてあり、前記固定枠に対して前記可動枠を搖動させて、パネルを挟み込み状態にして安定させるために、前記可動枠に係止部を設け、その前記係止部を係止させる被係止部を、前記固定枠に設けてある。
【０００７】
本発明の第１の特徴構成によれば、縦枠を構成する固定枠と可動枠とが、固定枠に対して左右搖動自在に可動枠を取り付けてあるために、手摺装置組み付け作業者が、パラペットに立設させて固定した手摺用支柱に、上枠と下枠とを取り付けるとともに、可動枠の付いた固定枠を室内側で前記上枠及び前記下枠に取り付けるか、または、前記手摺用支柱に取り付けることにより、手摺装置組み付け作業者の作業は完了する。
その後は、パネル取り付け作業者のみが、並設する縦枠間の間口を広くして、室外側からパネルを嵌め込みやすくできるように、既に固定枠に取り付けて隣接する可動枠の一方を搖動させ、パネルを嵌め込み後に、可動枠を再び搖動させて固定枠との協働で、隣接する可動枠どうしの間にパネルを挟み込ませて固定できる。
従って、パネルを手摺用支柱の室外側から取り付けられることにより、縦枠の横幅を小さくできて、外観を良好にさせることができながら、パネル取り付け作業時に可動枠を含む縦枠を別途保管しておく必要がないために、紛失の心配がない。また、手摺装置組み付け作業者による作業後に、パネル取り付け作業者だけで最後まで施工が行え、作業能率を向上させることができる。
【０００８】
本発明の第２の特徴構成は、前記外嵌部を横断面Ｃ型で上下方向に沿った溝状外嵌部に形成すると共に、前記内嵌部を横断面Ｃ型で上下方向に沿った溝状内嵌部に形成し、前記溝状外嵌部の周部で前記可動枠の揺動可能な左右一方側に平坦面部を形成し、前記係止部を前記被係止部に係止させた状態で、前記平坦面部に対応する前記溝状内嵌部の一部を、他部分よりも厚肉部に形成してある。
【０００９】
本発明の第３の特徴構成は、前記係止部を前記被係止部に係止させた状態で、前記平坦面部と前記厚肉部とに亘ってビスを取り付けて前記固定枠に対して前記可動枠を固定してある。
【図面の簡単な説明】
【００１０】
【図１】パネル取付構造を示す一部分解斜視図である。
【図２】パネル取付構造の縦断面図である。
【図３】パネル取付構造の横断面図である。
【図４】パネル間用縦枠の横断面図である。
【図５】外側縦枠の横断面図である。
【図６】（ａ）、（ｂ）、（ｃ）、（ｄ）は、パネル取付施工説明を示す縦断面図である。
【図７】（ａ）、（ｂ）、（ｃ）、（ｄ）は、パネル取付施工説明を示す縦断面図である。
【発明を実施するための形態】
【００１１】
以下に本発明の実施の形態を図面に基づいて説明する。
図１〜図３に示すように、ベランダのパラペット１に手摺用支柱２が、パラペット１の長手方向に所定間隔置きに、夫々支柱用アンカー３を介して立設してある。
手摺用支柱２には、上下に離間させた状態で並設して手摺用支柱２に取り付けられる上枠４と下枠５とを設け、ガラス板を２枚合わせて接着した合わせガラスから成るパネル６の複数枚を、上枠４と下枠５とに嵌め込んで、それらの互いに隣接するパネル同士の間夫々に配設される縦枠７を設けて、パネル取付枠８を構成してある。
前記上枠４は、押し出し成型により室外寄りにパネル上縁部内嵌用の下向きコの字状の第１凹溝９を設けて、笠木受部１０と一体に設けられ、前記下枠５は、パネル下縁部内嵌用の上向きコの字状の上向き第２凹溝１１を設けた長尺のアルミニウム製押し出し材１２と、その押し出し材１２を手摺用支柱２にビス１４を介して取り付けるアングル材１３とで構成し、アングル材１３に押し出し材１２をビス１４を介して一体化してある。
尚、上枠４には、その上側に笠木１５を取り付けてある。
【００１２】
前記縦枠７は、横に並設するパネル６間に配設するパネル間用縦枠７Ａと、左右最外側のパネル６の側端部を嵌め込ませて固定する外側縦枠とで構成する。
【００１３】
前記パネル間用建枠7Ａは、手摺用支柱２の室外側で手摺用支柱２にビス１４を介して取り付ける固定枠１６を設けると共に、固定枠１６の室外側で固定枠１６との間にパネル６を挟み込む可動枠１７を設けて、図４、図６に示すように、手摺用支柱２よりも室外側からパネル６を嵌め込めるように、並設する縦枠７間の間口を広くするパネル嵌め込み可能状態と、パネル嵌め込み後に固定枠１６と可動枠１７との間にパネル６を挟み込み固定可能にパネル固定状態とに切り換え可能に、可動枠１７を固定枠１６に対して左右搖動自在に取り付けてある。
可動枠１７を固定枠１６に対して左右搖動自在に取り付けるのに、横断面Ｃ型の溝状外嵌部１８を上下方向に沿って固定枠１６に形成すると共に、横断面Ｃ型の溝状内嵌部１９を上下方向に沿って可動枠１７に形成し、溝状外嵌部１８に溝状内嵌部１９を上下方向に嵌合させることにより、可動枠１７と固定枠１６とが相対的に左右搖動自在に互いに連結される。
【００１４】
前記外側縦枠は、図５、図７に示すように、室内側で上枠４と下枠５とに亘って取り付ける外端固定枠２０を設けると共に、外端固定枠２０の室外側で外端固定枠２０との間にパネル６の側端部を挟み込む外端可動枠２１を設け、外端可動枠２１を外端固定枠２０に対して着脱自在に嵌合してパネル６を挟み込み固定可能に構成してある。
尚、図中の２２は、可動枠１７とパネル６との間に介在させるゴムや軟質樹脂から成る先付ビートで、可動枠１７に取り付けてあり、２３は、固定枠１６とパネル６との間に介在させてパネル６を固定するスポンジ発泡体で、その外側には、シリコンコーキング２４を充填してある。
また、外端固定枠２０とパネル６との間や、外端可動枠２１とパネル６との間にも、先付ビート２２やスポンジ発泡体２３、シリコンコーキング２４を、設けてある。
図４に示すように、固定枠１６に対して可動枠１７を搖動させて、パネル６を挟み込み状態にして安定させるために、可動枠１７に係止部２５を設け、その係止部２５を係止させる被係止部２６を、固定枠１６に設けてある。
【００１５】
前記パネル取付枠８にガラス板から成るパネル６を取り付ける方法を、図６〜図７に、順に説明する。
１、  上枠４と下枠５間に嵌めこむ複数のパネル６の内、両端部以外の中間部に嵌めこむパネル６は、図６（ａ）に示すように、横に隣接する一対のパネル間用縦枠７Ａの少なくとも一方の物の可動枠１７を、固定枠１６に対して左右に搖動させて、並設する縦枠７間の間口を広くするパネル嵌め込み可能状態にする。
２、  パネル嵌め込み可能状態で隣接する一対の可動枠１７の内の他方に付設した先付ビート２２に、パネル６の一側端辺部を圧接させる（図６（ｂ））。
３、  一方の可動枠１７を搖動させて、パネル６の他側端辺部に先付ビート２２を圧接させる（図６（ｃ）)。
４、  パネル６の一側端辺部と他側端辺部夫々と固定枠１６との間にスポンジ発泡体２３を詰めた後に、シリコンコーキング２４を充填して、パネル固定状態にする（図６（ｄ））。
５、  複数のパネル６の内の両端部に位置する物は、図７（ａ）、（ｂ）に示すように、横方向に隣接するパネル間用縦枠７Ａの固定枠１６と可動枠１７との間にパネル６の一側端辺部を嵌め込む。
６、  パネル６の他側端辺部を、外側縦枠における外端可動枠２１を外端固定枠２０に嵌合させることにより、パネル間用縦枠７Ａと外側縦枠７Ｂ夫々に嵌め込まれる（図７（ｃ））。
７、  パネル６の一側端辺部及び他側端辺部夫々と、固定枠１６及び外端固定枠２０夫々との間に、スポンジ発泡体２３を詰めた後に、シリコンコーキング２４を充填する（図７（ｄ））。
尚、図４における３０は、溝状外嵌部１８の周部に形成した平坦面部で、図６（ｄ）に示すようにビス３２を取り付け可能に形成してあり、係止部２５を被係止部２６に係止させた状態（図４、図６（ｄ））で、平坦面部３０に対応する溝状内嵌部１９の一部には、他部分よりも厚いビス取付用の厚肉部３１を形成してある。
【００１６】
〔別実施形態〕
以下に他の実施の形態を説明する。
【００１７】
〈１〉  前記縦枠７における固定枠１６は、手摺用支柱２に取り付ける以外に、室内側で上端部を上枠４に取り付けると共に、下端部を下枠５に取り付けてあってもよい。
〈２〉  前記外側縦枠７Ｂは、外端固定枠２０を室内側で上枠４と下枠５とに亘って取り付ける以外に、手摺用支柱２に取り付けてあってもよい。
〈３〉  前記パネル６は、ガラス板に代えて例えば金属パネルやプラスチックパネルなどでもよい。
〈４〉  可動枠１７を固定枠１６に対して左右搖動自在に取り付けるのに、前述の溝状外嵌部１８に溝状内嵌部１９を嵌合させる構造以外に、公知のヒンジ構造を採用しても良い。
【００１８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００１９】
２      手摺用支柱
４      上枠
５      下枠
６      パネル
７      縦枠
７Ａ    パネル間用縦枠
７Ｂ    外側縦枠
８      パネル取付枠
１６    固定枠
１７    可動枠
２０    外端固定枠
２１    外端可動枠
【図１】
0006523646.tif 000002
【図２】
0006523646.tif 000003
【図３】
0006523646.tif 000004
【図４】
0006523646.tif 000005
【図５】
0006523646.tif 000006
【図６】
0006523646.tif 000007
【図７】
0006523646.tif 000008